(57)【要約】  【課題】  引手のカムまた爪体の停止爪が摩耗しても引手とカバーとの相乗作用によって、有効にロック機能を持続できる停止装置付スライダーを提供する。  【解決手段】  スライダーは胴体１、爪体２、引手３、カバー４から構成され、上翼板７に爪体２を収容できる収容部１２を設け、爪体２は上面に凹陥部２２を設けて引手３のカバー側カム３１を逃避させ、両側に当接面２３を設けて引手３の爪体側カム３０と当接し下面に停止爪２０を設け、引手３は枢軸２９の下面に爪体側カム３０、上面にカバー側カム３１を設け、カバー４は内面中央に押圧面、両側に逃避部を設け、引手３を後方へ倒せば爪体側カム３０が当接面２３、カバー側カム３１が押圧面に当接して爪体２を不動の状態で停止爪２０をファスナーエレメント間に挿入しロックする。また引手３を前方へ倒せば凹陥部２２にカバー側カム３１が遊嵌し、爪体側カム３０はカバー４内の逃避部に遊嵌しロックを解除する。  【選択図】  図１
2006055435.tif 000002
【特許請求の範囲】
【請求項１】
胴体１、爪体２、引手３、カバー４から形成したスライダーにおいて、胴体１の上翼板７の中央に爪体２の収容部１２を凹設し、爪体２は下面に停止爪２０、上面に引手３の爪体側カム３０に当接する当接面２３を設け、引手３は枢軸２９の上下面に形状が異なる爪体２に当接する爪体側カム３０とカバー４に当接するカバー側カム３１とを設け、カバー４は内面に引手３のカバー側カム３１を押圧する押圧面３５を設けたことを特徴とする停止装置付スライドファスナー用スライダー。
【請求項２】
引手３の枢軸２９の上下面に突出量が異なり相反する形状の爪体側カム３０とカバー側カム３１とを突設してなる請求項１記載の停止装置付スライドファスナー用スライダー。
【請求項３】
カバー４の内面に設ける押圧面３５は、引手３のカバー側カム３１と当接し、爪体側カム３０とは逃避する形状に形成してなる請求項１記載の停止装置付スライドファスナー用スライダー。
【請求項４】
引手３のカバー側カム３１とカバー４の押圧面３５とは、面接触からなる請求項１記載の停止装置付スライドファスナー用スライダー。
【請求項５】
カバー４の内面に設ける押圧面３５には、引手３が爪体２を押圧したとき、引手３のカバー側カム３１を係止する係止溝３９を凹設してなる請求項１記載の停止装置付スライドファスナー用スライダー。
【請求項６】
爪体２の上面中央に凹陥部２２、その両側に当接面２３を設け、引手３の枢軸２９下面に当接面２３に当接する爪体側カム３０、上面にカバー４の押圧面３５に当接するカバー側カム３１を設け、カバー４の内面中央に凸状の押圧面３５、その両側に爪体側カム３０が逃避する凹状の逃避部３６を設けてなる請求項１記載の停止装置付スライドファスナー用スライダー。
【請求項７】
引手３の枢軸２９の下面に爪体２に当接する爪体側カム３０、上面にカバー４の押圧面３５に当接するカバー側カム３１を設け、カバー４の内面中央に爪体側カム３０が嵌入する凹状の逃避部３６、その両側に凸状の押圧面３５を設けてなる請求項１記載の停止装置付スライドファスナー用スライダー。
【請求項８】
爪体２の上面中央に凸状の当接部２７、引手３の枢軸２９の下面に当接部２７に当接する爪体側カム３０、上面にカバー側カム３１を突設し、カバー４の内面中央に爪体側カム３０が嵌入する凹状の逃避部３６、その両側にカバー側カム３１が当接する凸状の押圧面３５を設けてなる請求項１記載の停止装置付スライドファスナー用スライダー。  
【請求項９】
爪体２の下面縦方向に凹状の支持溝２５を設け、該支持溝２５の一方側に停止爪２０を突設し、他方側に表面が平坦な摺接部２１を突設し、収容部１２の底部には縦方向に仕切部１６を架設し、仕切部１６の両側に爪孔１７を穿設してなる請求項１記載の停止装置付スライドファスナー用スライダー。
【発明の詳細な説明】
【技術分野】
【０００１】
この発明は、通常タイプのスライドファスナーに用いるロック機構を備えたスライダーであって、停止爪を有する爪体をスプリングを用いずに引手の起伏操作により、ファスナーエレメントの反発力を利用してロック機構を働かせる停止装置付スライドファスナー用スライダーに関するものである。
【背景技術】
【０００２】
従来、この種のロック機構を備えたスライダーは、たとえば図１０に示すように胴体、爪体、引手、カバーの四部材から形成し、引手における取付用の枢軸の下面にカムを装設し、胴体に取り付けた引手を後方へ倒伏させると、カムによって胴体に収容した停止爪を備えた爪体を押圧し、停止爪をファスナーエレメント間に押入してスライダーの摺動を停止させるタイプ、また図１１に示すように引手における枢軸の上下両面にカムを装設し、前記の胴体、爪体、カバーからなるスライダーに用い、引手を前方および後方、倒伏させることによって、カムの作動により爪体の停止爪をファスナーエレメント間に押入してスライダーの摺動を停止しロックさせる停止装置付スライドファスナー用スライダーが知られている。
【特許文献１】特開２０００−３３３７１０号公報
【発明の開示】
【発明が解決しようとする課題】
【０００３】
前項で述べた図１０，１１に示した停止装置付スライドファスナー用スライダーは、共に引手の枢軸にカムを設置して胴体に収容した爪体の上面へ接触させ、引手の倒伏操作により爪体の停止爪をファスナーエレメント間に押し入れてロック機能を働かせ、引手を起立させるとファスナーエレメントの反発力によって爪体を自動的に上方へ押し上げるので、スライダーの摺動操作を容易に行える。
【０００４】
しかしこのタイプのスライダーは、長期にわたって繰り返し使用するとき、またスライダーに過剰な荷重が加わる部分に使用したとき、引手の枢軸に設けたカムが使用によって摩耗してロック機能が働かなくなったり、また停止爪がファスナーエレメント上を滑動し停止爪が摩耗してロック機能を低下させる恐れがある。
【０００５】
この発明は、上述の問題点を考慮して加良を加えたものであり、請求項１記載の発明は、スライダーを胴体、爪体、引手、カバーの四部材から形成し、停止爪を備えた爪体をファスナーエレメント上へ引手の操作によってカムを利用して押圧し、かつカムおよび停止爪が作動したとき、たとえカム等が摩耗し、また過剰な荷重が働いてもカバーとの相乗作用によって長期にわたって有効にロック機能が持続できる耐久性のあるスライドファスナーにおける停止装置付スライダーを提供することが主たる目的である。
【０００６】
請求項２〜５記載の発明は、それぞれ請求項１記載の発明の目的に加え、引手の枢軸に設置するカムの形態、またカバー内に設置する押圧面の形態、さらに引手とカバーの関連形態を特定し、引手の前後への回動動作によって、爪体を押圧するとき、カバーと協同して的確に押圧し、ロック機能を働かせ、押圧動作以外のときは爪体を容易にファスナーエレメントから退避させてロックを解除し、円滑な摺動操作が行えるスライドファスナーの停止装置付スライダーを提供することが目的である。
【０００７】
請求項６〜８記載の発明は、それぞれ請求項１記載の発明の目的に加え、爪体の形態また引手に設置するカムとカバーに設置するカムとの接触面との関連構造などを特定し、引手の押圧操作と摺動操作の際、爪体を的確かつ長期にわたってファスナーエレメントを押圧してロック機能を働かせ、またファスナーエレメントの反発動作を容易に行ってロック機能を解除できる耐久性のあるスライドファスナーの停止装置付スライダーを提供することが目的である。
【０００８】
請求項９記載の発明は、請求項１記載の発明の目的に加え、爪体の形態および爪体と胴体の爪体収容部との関連構造を特定し、スライダーが開き製品すなわち開離嵌挿具を備えたスライドファスナーに適し、開離嵌挿具の蝶棒を箱体へ挿入する際、爪体が邪魔にならず円滑に差し込み操作が行える開き具を備えたスライドファスナーの停止装置付スライダーを提供することが目的である。
【課題を解決するための手段】
【０００９】
前記の目的を達成するため、この発明のうち請求項１記載の発明は、スライダーが胴体１、爪体２、引手３、カバー４の四部材から構成され、胴体１における上翼板７の中央部分に爪体２を収容できる凹陥状の収容部１２を設け、この収容部１２に収容する爪体２は下面にファスナーエレメントＥ間に押入できる停止爪２０を突設し、上面には引手３に設置した爪体側カム３０に当接する当接面２３を設け、引手３は胴体１へ取り付けるために用いる枢軸２９の上下面に互いに形状が異なる。ここで形状が異なるとは、同形のカムの個数が上下で異なる場合、またカムの幅あるいはカムの突出量が異なる場合を指す。爪体２に当接する爪体側カム３０とカバー４に当接するカバー側カム３１とを設置し、カバー４は内面に引手３に設置したカバー側カム３１を押圧できる押圧面３５を設置したスライドファスナーにおける停止装置付スライダーを主な構成とするものである。
【００１０】
請求項２記載の発明は、請求項１記載の発明の構成に加え、引手３における枢軸２９の上下面に設置するカムは共に突出量が異なり、かつ相反する形状を呈する爪体２と当接する爪体側カム３０と、カバー４の当接面３５と当接するカバー側カム３１を突設した停止装置付スライドファスナー用スライダーである。
【００１１】
請求項３記載の発明は、請求項１記載の発明の構成に加え、カバー４の内面に設置する押圧面３５は、引手３の枢軸２９に設置するカバー側カム３０とは当接し、引手３を前方へ回動して爪体側カム３０と対面したときは、両者は当接することなく逃避する形状に形成した停止装置付スライドファスナー用スライダーである。
【００１２】
請求項４記載の発明は、請求項１記載の発明の構成に加え、引手３の枢軸２９に設置したカバー側カム３１とカバー４の内面に設置した押圧面３５とは、面接触が可能な形状から形成した停止装置付スライドファスナー用スライダーである。
【００１３】
請求項５記載の発明は、請求項１記載の発明の構成に加え、カバー４の内面に設置する押圧面３５には、引手３の枢軸２９に設置した爪体側カム３０が爪体２を押圧したとき、引手３の枢軸２９に設置したカバー側カム３１が押圧面と対面したとき、このカムを係止する凹状の係止溝３９を押圧面３５に設置した停止装置付スライドファスナー用スライダーである。
【００１４】
請求項６記載の発明は、請求項１記載の発明の構成に加え、爪体２における上面中央に凹陥部２２を設けるとともに、凹陥部２２の両側に平坦な当接面２３を設け、引手３の枢軸２９における下面に爪体２の当接面２３に当接する爪体側カム３０を設け、上面にカバー４に設置した押圧面３５に当接するカバー側カム３１を設け、カバー４の内面中央に凸状の押圧面３５を設け、その両側に引手３を前後方向へ回動したとき、爪体側カム３０が逃避できる凹状の逃避部３６を設置した停止装置付スライドファスナー用スライダーである。
【００１５】
請求項７記載の発明は、請求項１記載の発明の構成に加え、引手３における枢軸２９の下面に爪体２に当接する爪体側カム３０を設け、枢軸２９の上面にカバー４の押圧面３５に当接するカバー側カム３１を設け、カバー４の内面中央に爪体側カム３０が嵌入する凹状の逃避部３６を設け、この逃避部３６の両側にカバー側カム３１が当接する凸状の押圧面３５を設置した停止装置付スライドファスナー用スライダーである。
【００１６】
請求項８記載の発明は、請求項１記載の発明の構成に加え、爪体２における上面中央に凸状の当接部２７を設け、引手３の枢軸２９の下面に爪体２の当接部２７に当接する爪体側カム３０を設け、枢軸２９の上面にカバー側カム３１を突設し、カバー４の内面中央に爪体側カム３０が嵌入する凹状の逃避部３６を設け、逃避部３６の両側にカバー側カム３１が当接する凸状の押圧面３５を設置した停止装置付スライドファスナー用スライダーである。
【００１７】
請求項９記載の発明は、請求項１記載の発明の構成に加え、爪体２における下面縦方向すなわち摺動方向に凹状の支持溝２５を設け、この支持溝２５の一方側の下面に停止爪２０を突設し、他方側の下面に表面が平坦な摺接部２１を突設し、胴体１における収容部１２の底部に縦方向すなわち摺動方向に仕切部１６を架設し、この仕切部１６の両側に停止爪２０と摺接部２１が挿入できる爪孔１７を穿設した停止装置付スライドファスナー用スライダーである。
【発明の効果】
【００１８】
この出願の発明の効果として、請求項１記載の発明は、スライダーが胴体、爪体、引手、カバーから形成し、胴体の上翼板の中央に爪体の収容部を凹設し、爪体は下面に停止爪、上面に引手の爪体側カムに当接する当接面を設け、引手は枢軸の上下面に形状が異なる爪体に当接する爪体側カムとカバーに当接するカバー側カムとを設け、カバーは内面に引手のカバー側カムを押圧する押圧面を設けたことによって、下記の効果を奏する。
【００１９】
スライダーを長期にわたって使用したとき、引手に設置した爪体側カムが摩耗したり、また過剰な荷重が加わり爪体の停止爪がファスナーエレメント上を滑動して停止爪が摩耗したとしても、この発明は引手の枢軸に設置した爪体側カムと、その反対側にカバー側カムを設けて、カバー内の押圧面に当接させているから、ロック時において、いかなる状態であっても爪体がファスナーエレメントから浮上しロックを解除することがなく、確実かつ安定したロック状態を持続できる効果がある。
【００２０】
請求項２記載の発明は、請求項１記載の発明の効果に加え、引手の枢軸の上下面に突出量が異なり相反する形状の爪体側カムとカバー側カムとを突設したことによって、引手の前後への回動操作により、ロック状態とロック解除動作を円滑かつ的確に行うことができる効果がある。
【００２１】
請求項３記載の発明は、請求項１記載の発明の効果に加え、カバーの内面に設ける押圧面は、引手のカバー側カムと当接し、爪体側カムとは逃避する形状に形成したことによって、引手の前後への回動操作およびスライダーの前後への摺動操作を円滑に行うことができる効果がある。
【００２２】
請求項４記載の発明は、請求項１記載の発明の効果に加え、引手のカバー側カムとカバーの押圧面とは、面接触から形成したことによって、ロック時において爪体の浮上をカバーの平面で受け止めるから、ロックが強固に行われ、ロック解除をするのが難しい効果がある。
【００２３】
請求項５記載の発明は、請求項１記載の発明の効果に加え、カバーの内面に設ける押圧面には、引手が爪体を押圧したとき、引手のカバー側カムを係止する係止溝を凹設したことによって、ロック状態をより強固、かつ安定した状態で保持できる効果がある。
【００２４】
請求項６記載の発明は、請求項１記載の発明の効果に加え、爪体の上面中央に凹陥部、その両側に当接面を設け、引手の枢軸下面に当接面に当接する爪体側カム、上面にカバーの押圧面に当接するカバー側カムを設け、カバーの内面中央に凸状の押圧面、その両側に爪体側カムが逃避する凹状の逃避部を設けたことによって、引手の前後への回動操作により、爪体を左右均等に押圧して安定したロック機能を果たし、またスライダーの摺動を円滑に行うことができる効果がある。
【００２５】
請求項７記載の発明は、請求項１記載の発明の効果に加え、引手の枢軸の下面に爪体に当接する爪体側カム、上面にカバーの押圧面に当接するカバー側カムを設け、カバーの内面中央に爪体側カムが嵌入する凹状の逃避部、その両側に凸状の押圧面を設けたことによって、ロック時、引手をカバーが安定した状態で保持することができ、また引手に設置するカムの構造が簡単で成形が容易である効果がある。
【００２６】
請求項８記載の発明は、請求項１記載の発明の効果に加え、爪体の上面中央に凸状の当接部、引手の枢軸の下面に当接部に当接する爪体側カム、上面にカバー側カムを突設し、カバーの内面中央に爪体側カムが嵌入する凹状の逃避部、その両側にカバー側カムが当接する凸状の押圧面を設けたことによって、ロック時、引手をカバーが安定した状態で保持することができ、また引手に設置する爪体側カムを分厚く形成し摩耗を防ぐことができる効果がある。
【００２７】
請求項９記載の発明は、請求項１記載の発明の効果に加え、爪体の下面縦方向に凹状の支持溝を設け、該支持溝の一方側に停止爪を突設し、他方側に表面が平坦な摺接部を突設し、爪体の収容部の底部には縦方向に仕切部を架設し、仕切部の両側に爪孔を穿設したことによって、爪体は一方側に停止爪、他方側が平坦な摺接部であるから、摺接部を開き具の蝶棒側に配置させると、蝶棒を箱体に差し込むとき円滑かつ容易に差し込みができ、開き具用スライダーとして適している効果があるなど、この発明が奏する効果はきわめて顕著である。
【発明を実施するための最良の形態】
【００２８】
この発明の停止装置付スライドファスナー用スライダーは、ロック機構を備えたスライダーであって、スライダーは胴体１、爪体２、引手３、カバー４の四部材から構成され、各部材はポリアミド、ポリアセタール、ポリプロピレン、ポリブチレンテレフタレートなどの熱可塑性樹脂を用いて射出成形手段または押出成形手段によって各部材を成形する。またアルミニウム合金、亜鉛合金などの金属をダイカスト成形手段によって成形してもよい。  
【００２９】
胴体１は上翼板７の上面中央に爪体２を収容できる収容部１２を設け、収容部１２は底部に仕切部１６を設け、仕切部１６の両側に爪孔１７を穿設する。収容部１２の両側には引手３の枢軸２９を載置できる軸支持片１３を立設し、この内面上下方向に凹状のガイド溝１８を設け、このガイド溝１８に爪体２のガイド突条部２４を嵌挿し、上翼板７の前後に外向のフック部１５を備えた係止柱１４を立設する。
【００３０】
爪体２は、上面中央に凹陥部２２を設けて引手３のカバー側カム３１を逃避させ、凹陥部２２の両側に平坦な当接面２３を設けて引手３の爪体側カム３０と当接する形に形成し、爪体２の側面にはガイド溝１８に挿入できるガイド突条部２４を設け、下面の左右に停止爪２０を突設する。
【００３１】
引手３は一端に枢軸２９を設け、枢軸２９の下面には左右に爪体側カム３０を突設して爪体２の当接面２３と当接する。また枢軸２９の上面には中央にカバー側カム３１を突設してカバー４の押圧面３５と当接する。カバー４は内面中央縦方向に押圧面３５を設け、引手３のカバー側カム３１と当接する。
【００３２】
またカバー４の両側には胴体１に立設した軸支持片１３に対向して枢軸２９を押え込む軸押部３７を切欠し、カバー４の前後壁に胴体１の係止柱１４のフック部１５と係止する係止孔３８と穿設する。
【００３３】
スライダーの組立ては、胴体１の収容部１２に対し、停止爪２０が胴体１のエレメントガイド部１１内へ突出する形で爪体２を収容し、その上方に引手３の枢軸２９を軸支持片１３に載置し、その上方をカバー４で被覆する。その際枢軸２９を軸押部３７で押さえる形で係止孔３８と係止柱１４のフック部１５とを係止してスライダーを組み立てる。
【００３４】
組み立てられたスライダーは、引手３を後口４２側へ倒伏させれば、引手３の枢軸２９に設けた爪体側カム３０が爪体２の上面に設けた当接面２３に当接し、また枢軸２９に設けたカバー側カム３１はカバー４内に設けた押圧面３５に当接するため、爪体２は不動の状態となり停止爪２０はコイル状ファスナーエレメントＥ間に挿入し、ロックされてスライダーを前後に摺動させることができない。また引手３を肩口４２側へ反転させて倒せば、爪体２の凹陥部２２に枢軸２９のカバー側カム３１が遊嵌し、かつ爪体側カム３０はカバー４の内面の逃避部３６に遊嵌するため、爪体２はコイル状ファスナーエレメントＥの反発力によって浮上しロックが解除され自由に前後へ摺動させることができる。
【実施例１】
【００３５】
図１〜５に示す実施例１の停止装置付スライドファスナー用スライダーは、胴体１、爪体２、引手３、カバー４の全ての部材を同一素材の熱可塑性樹脂を用いて射出成形または押出成形により形成する。胴体１は上翼板７と下翼板８とを案内柱９により連結し、上翼板７の両側縁には丈の高いフランジ１０、下翼板８の両側縁には丈の低いフランジ１０をそれぞれ突設してコイル状ファスナーエレメントＥをガイドするエレメントガイド部１１を形成する。
【００３６】
上翼板７の上面中央に底部がやや狭くなる凹陥状の爪体２を収容できる収容部１２を設け、この収容部１２の底部には縦方向すなわちスライダーの摺動方向にエレメントガイド部１１へ突出する仕切部１６を設け、この仕切部１６の両側に左右の停止爪２０が挿入できる爪孔１７を穿設し、収容部１２の両側には引手３の枢軸２９を載置できる上面が円弧状に切欠して軸受を形成する軸支持片１３を立設し、この軸支持片１３の内面および収容部１２の両側面には上下方向にガイド溝１８を設けて爪体２のガイド突条部２４を嵌挿する。上翼板７の前後には先端にフック部１５を外向きに備えた係止柱１４を立設してカバー４を係止する。
【００３７】
爪体２は、略方形体で上面の中央横方向に三角状に突出する頂面を設け、この頂面の中央に凹状に切欠いた凹陥部２２を設け、この凹陥部２２の両側に頂面を平坦状に形成した当接面２３を設け、側壁面には上半部が側方へ突出する角状のガイド突条部２４を設けて軸支持片１３および収容部１２の内面に凹設したガイド溝１８へ嵌挿する。爪体２の下面は中央縦方向に凹状の支持溝２５を設けて収容部１２の仕切部１６に跨嵌する。この支持溝２５の一方側に２個の突出する停止爪２０を設け、他方側にそご状に突出する１個の停止爪２０を設け、爪体２を収容部１２に収容したとき、停止爪２０は左右のコイル状ファスナーエレメントＥ上へ突出接触させる。
【００３８】
引手３は長片形で一端に凹状に刳り貫いて凹孔３２を設けるとともに、胴体１へ取付けるための枢軸２９を設け、この枢軸２９の下面に左右において突出する爪体側カム３０を設けて爪体２の当接面２３と対面させ、枢軸２９の上面には中央で突出するカバー側カム３１を設けてカバー４の押圧面３５と対面させる。枢軸２９は胴体１に立設した軸支持片１３の上面へ載置して前後に回動し起倒動作ができるように形成する。また爪体側カム３０およびカバー側カム３１の頂面は互いに平坦面に形成して平坦状の当接面２３または押圧面３５と安定した状態で当接する。
【００３９】
カバー４は長方箱形で天井部分の中央長手方向に、突出する１条の押圧面３５を設けて枢軸２９のカバー側カム３１と対面し当接する。また押圧面３５の両側には凹状の逃避部３６を設けて枢軸２９の爪体側カム３０が対面し、当接することがなく逃避できるように形成する。またカバー４の両側壁に引手３の枢軸２９が嵌挿できる円形状に切欠いた軸押部３７を設け、胴体１に立設した軸支持片１３と対応する。カバー４の前後壁には長方形の係止孔３８を設け、胴体１上へ被覆したとき、胴体１に立設した係止柱１４のフック部１５と係止してカバー４を固定する。
【００４０】
以上のとおり、胴体１、爪体２、引手３、カバー４を用いてロック機構を備えたスライダーに組み立てるには、胴体１の上翼板７に設けた収容部１２に爪体２を収容するが、その際爪体２の側壁に設けたガイド突条部２４を軸支持片１３の内面に設けたガイド溝１８に挿入し、爪体２の下面に設けた支持溝２５を収容部１２の底部にある仕切部１６に跨嵌して上下に揺動できるように形成し、爪体２の下面に突設した停止爪２０を胴体１のエレメントガイド部１１に挿通されたコイル状ファスナーエレメントＥの表面へ突出し接触する。この状態で引手３の枢軸２９を軸支持片１３の軸受に載置し、その上方からカバー４を被せるが、軸支持片１３にカバー４の軸押部３７が対応する形で押圧することによって、カバー４の係止孔３８を係止柱１４のフック部１５にスナップ式に係止してスライダーは組立てられる。
【００４１】
組み立てられたスライダーの操作は、スライダーをファスナーチエン上で摺動させたいときは、引手３を起立させると爪体２の当接面３５と枢軸２９の爪体側カム３０との接触が開放され、かつまたカバー側カム３１と押圧面３５との接触も開放されるため、図４に示すように、停止爪２０はコイルファスナーエレメントＥの上方への反発力により、自動的に押し上げてロックを解除する。この状態で引手３を胴体１の肩口４１側へ傾倒させながら引っ張ればスライダーは自由に摺動させることができる。なお引手３を前方へ倒したとき、枢軸２９に設けたカバー側カム３１は爪体２の凹陥部２２に遊嵌するため何ら動作を規制されることはない。
【００４２】
スライダーを摺動し、所定の位置で引手３を胴体１の後口４２側へ倒伏させると、図２に示すように、枢軸２９の爪体側カム３０は爪体２の当接面２３に当接して押下し、停止爪２０をコイル状ファスナーエレメントＥ間に挿入し、かつ枢軸２９に設けたカバー側カム３１がカバー４の内面に突設した押圧面３５に当接し、爪体２の浮上を完全に阻止し、停止爪２０によるロック状態を保持する。
【実施例２】
【００４３】
図６に示す実施例２の停止装置付スライドファスナー用スライダーは、前記実施例１のスライダーと大きく異なるところは、爪体２の上面の形態、引手３の枢軸２９に設置する爪体側カム３０およびカバー側カム３１の形態、カバー４内に設置する当接面３５および逃避部３６の形態において差異がある。
【００４４】
引手３の枢軸２９に形成する爪体側カム３０は中央に１本の突出量が大きい状態で突設し、カバー側カム３１は突出量が小さく爪体側カム３０よりも幅広く形成する。カバー４は内面中央に１本の凹状の逃避部３６を設けて爪体側カム３０と対面したとき、このカム３０と接触せずに逃避する。またカバー側カム３１と対面したとき、このカム３１は逃避部３６の両側に設置した押圧面３５と当接し、その他の形態は実施例１と同一形態である。
【００４５】
スライダーの操作は、引手３を起立させ胴体１の肩口４１側へ傾倒させると、枢軸２９に設置したカバー側カム３１が爪体２と対面し、爪体側カム３０はカバー４の逃避部３６に遊嵌逃避するため、爪体２はコイル状ファスナーエレメントＥの反発力により上方へ押し上げられ、停止爪２０がコイル状ファスナーエレメントＥから離脱し、自由にスライダーを摺動させることができる。また引手３を胴体１の後口４２側へ倒伏させると、図６に示すように、爪体側カム３０が爪体２の凹陥部２２を押圧し、カバー側カム３１はカバー４内の押圧面３５と当接して爪体２の浮上を阻止し、完全にロック状態を保持する。
【実施例３】
【００４６】
図７に示す実施例３の停止装置付スライドファスナー用スライダーは、実施例２のスライダーと形態はよく似ている。爪体２の上面に設置する凹陥部は、左右両側に細溝状の凹溝部２６を２本設置し、この凹溝部２６の間に上方へ低く突出する当接部２７を設ける。引手３は枢軸２９の下面中央にやや長目の爪体側カム３０を突設して当接部２７と当接させ、枢軸２９の上面には爪体２の上面に設置した凹溝部２６に対面する狭小のカバー側カム３１を突設してカバー４の当接面３５と当接させる。カバー４は内面中央に設けた凹状の逃避部３６に枢軸２９の爪体側カム３０を遊嵌し逃避させる。この逃避部３６の両側に凸状の押圧面３５を設けて枢軸２９に設置したカバー側カム３１と当接するように形成する。
【００４７】
スライダーの操作は、引手３を起立させ胴体１の肩口４１側へ傾倒させると、枢軸２９に設置したカバー側カム３１が爪体２の凹溝部２６と対面し、爪体側カム３０はカバー４の逃避部３６に遊嵌し逃避するため、爪体２はコイル状ファスナーエレメントＥの反発力により上方へ押し上げられ、停止爪２０がコイル状ファスナーエレメントＥから離脱するので自由にスライダーを摺動させることができる。また引手３を胴体１の後口４２側へ倒伏させると、図７に示すように、爪体側カム３０が爪体２の当接部２７に当接して押圧し、カバー側カム３１はカバー４内の押圧面３５に当接して爪体２の浮上を阻止し完全にロック状態を保持する。
【実施例４】
【００４８】
図８に示す実施例４は、カバー４内に設置する押圧面３５と枢軸２９に設置するカバー側カム３１との形態の変形例を示すもので、カバー４内に設置する１条の押圧面３５は、引手３が胴体１上へ倒伏したときカバー側カム３１が当接する部位にカバー側カム３１が嵌入できる浅い溝状の係止溝３９を設けて引手３が倒伏したとき爪体側カム３０が爪体２を押圧し、カバー側カム３１が押圧面３５に当接して係止溝３９に嵌入すると引手３を強固にロックすることができる。
【実施例５】
【００４９】
図９に示す実施例５は、爪体２の変形例を示すもので、特に開離嵌挿具を備えた開き製品のスライダーに適する。爪体２は下面中央に凹溝状の支持溝２５を設け、この支持溝２５の一方側に停止爪２０を突設し、他方側は停止爪２０を設けずに表面が平坦な摺接部２１に形成する。この爪体２を収容部１２における仕切部１６に対して支持溝２５を跨嵌するが、摺接部２１は開離嵌挿具の蝶棒側に配置するようにスライダーの収容部１２に収容することによって、スライダーに蝶棒を差込む操作の際、停止爪が存在しないので挿入動作が円滑に行うことができる。
【産業上の利用可能性】
【００５０】
この発明の停止装置付スライドファスナー用スライダーは、胴体、爪体、引手、カバーの各部材を同一素材から形成したリサイクル可能なスライダーであり、スライダーの活用例は、バッグ、ケース、シューズまた衣服など、あらゆる製品の開閉部分に取付けて使用することができる。
【図面の簡単な説明】
【００５１】
【図１】停止装置付スライドファスナー用スライダーの分解斜視図である。
【図２】同上スライダーのロック押圧作動時の横断面図である。
【図３】同上スライダーのロック押圧作動時の縦断面図である。
【図４】同上スライダーのロック開放時の横断面図である。
【図５】同上スライダーの爪体の斜視図である。
【図６】実施例２のスライダーのロック状態を示す要部の断面図である。
【図７】実施例３のスライダーのロック状態を示す要部の断面図である。
【図８】実施例４のスライダーのロック状態を示す要部の断面図である。
【図９】実施例５に基づく爪体の裏面斜視図である。
【図１０】公知のスライダーの分解斜視図である。
【図１１】公知のスライダーにおける引手の変形例を示す斜視図である。
【符号の説明】
【００５２】
１            胴体
２            爪体
３            引手
４            カバー
７            上翼板
１２            収容部
１６            仕切部
１７            爪孔
２０            停止爪
２１            摺接部
２２            凹陥部
２３            当接面
２５            支持溝
２６            凹溝部
２７            当接部
２９            枢軸
３０            爪体側カム
３１            カバー側カム
３５            押圧面
３６            逃避部
３９            係止溝
【図１】
2006055435.tif 000003
【図２】
2006055435.tif 000004
【図３】
2006055435.tif 000005
【図４】
2006055435.tif 000006
【図５】
2006055435.tif 000007
【図６】
2006055435.tif 000008
【図７】
2006055435.tif 000009
【図８】
2006055435.tif 000010
【図９】
2006055435.tif 000011
【図１０】
2006055435.tif 000012
【図１１】
2006055435.tif 000013